(57)【要約】【課題】多くの異なる機種に対応して金型の共通化が図られるばかりか、急きょ増産等の生産計画の変更が生じた場合も、容易に対応でき生産効率が落ちることのないようにした弾球遊技機の樹脂製遊技板を提供する。【解決手段】射出成形により所定位置に盤面部品１１を取り付けるための開口が形成され、異なる機種間でのいずれの盤面部品１１も取り付け可能な大きさの開口をそれら異なる機種間で共通する基準開口２４として形成するようにした遊技板本体９と、基準開口２４に取り付けられ、外周面に張設される取付フランジ部１２の外周輪郭１２ａが基準開口２４の内周輪郭２４ａよりも大きく形成された盤面部品１１と、を有する。【選択図】図４
2013081537.tif 000002
【特許請求の範囲】
【請求項１】
射出成形により所定位置に盤面部品を取り付けるための開口が形成され、異なる機種間でのいずれの盤面部品も取り付け可能な大きさの開口をそれら異なる機種間で共通する基準開口として形成するようにした遊技板本体と、
前記基準開口に取り付けられ、外周面に張設される取付フランジ部の外周輪郭が前記基準開口の内周輪郭よりも大きく形成された盤面部品と、
を有することを特徴とする弾球遊技機の樹脂製遊技板。
【請求項２】
前記遊技板本体の基準開口における裏面側の内周縁に沿って該基準開口内に突出する裏覆板条部を設け、前記裏覆板条部に沿って該裏覆板条部と前記取付フランジ部側に設けられるカバー部とにより囲われ上端に球入口、下端に球出口を開設した球通路が形成される請求項１記載の弾球遊技機の樹脂製遊技板。
【請求項３】
前記遊技板本体の表面であって前記基準開口の外周部に複数の遊技板側取付孔を開設すると共に前記盤面部品における取付フランジ部には前記各遊技板側取付孔に対応位置してフランジ部側取付孔を開設し、これら遊技板側取付孔とフランジ部側取付孔とはいずれも異なる機種間で共通した位置に設けられる請求項２記載の弾球遊技機の樹脂製遊技板。
【請求項４】
前記遊技板本体の表面であって前記基準開口の外周部に位置決め孔を設けると共に該基準開口に取り付けられる盤面部品における取付フランジ部の裏面には該位置決め孔に嵌合する位置決めボスを設け、これら位置決め孔と位置決めボスとはいずれも異なる機種間で共通した位置に設けられる請求項３記載の弾球遊技機の樹脂製遊技板。
【発明の詳細な説明】
【技術分野】
【０００１】
本発明は、弾球遊技機に配置される樹脂製遊技板に関するものである。
【背景技術】
【０００２】
従来、例えば弾球遊技機の一種であるパチンコ遊技機は、遊技板の表面に外・内側レールが渦巻き状に敷設され、該外・内側レールで囲まれた遊技部には可変表示装置、入賞装置などの盤面部品が配置されている。また、これら盤面部品の周辺には、遊技部を流下する遊技球の流下経路に変化を与えるための障害釘、風車が植設されている。
【０００３】
近年、遊技板は環境保護の観点や意匠上の観点から、合板に替えて合成樹脂製のものが提案されている。このうち、特に透明な合成樹脂により成形された樹脂製遊技板は、裏側に可変表示装置や各種装飾部材を配置できることから、斬新なデザインを採ることができ興趣が高められるといった利点がある。
【０００４】
ところで、可変表示装置、入賞装置等の盤面部品の大きさ、或いはこれらの形状、配置位置等は各機種毎に異なり、各機種に対応させるため盤面部品を取り付ける樹脂製遊技板の開口をさまざまな大きさ・形状にする必要がある。このため、多くの異なる機種のパチンコ遊技機を製造しようとすると、それらに対応させて多種類の樹脂製遊技板を製造することになる。例えば、特許文献１に示される樹脂製遊技板では、平板状の合成樹脂板にルーターによる切削加工によってそれぞれの開口を形成するようにしているので、多くの異なる機種に対応させることは容易であるものの、加工に多くの時間が掛かり生産効率が良くないという欠点がある。また、開口を形成した後に排出される樹脂材料は全て切削屑となって無駄になることから、材料の歩留まりが極めて悪い。特に、大型の電子ディスプレイや役物を取り付けるため大きな開口を必要とする樹脂製遊技板を製造する際には、多量の切削屑が排出されるので、これを廃材として処分するのに費用が嵩むばかりか、資源の無駄になるという欠点が有る。
【０００５】
これに対し、前記欠点を解決する方法として射出成形により樹脂製遊技板を製造することが考えられるが、多くの異なる機種に対応させてそれぞれ金型を製作し、これらによって多種類の樹脂製遊技板を成形しようとすると、生産効率は良いものの、多種類の金型を必要とすることから、金型の製作コストが著しく高くなるという欠点が有る。
【０００６】
前記両者に生ずるそれぞれの欠点に鑑み、特許文献２のように射出成形により樹脂製遊技板にあらかじめ盤面部品を取り付けるための開口を形成しておき、次にパチンコ遊技機の機種に応じて開口の必要個所を切削加工して拡張するようにした樹脂製遊技板が提案されている。
【先行技術文献】
【特許文献】
【０００７】
【特許文献１】特許第３７２０８２９号公報（第３−１１頁、図４）
【特許文献２】特開２０１１−９８１５５号公報（第３−５頁、図５、図６）
【発明の概要】
【発明が解決しようとする課題】
【０００８】
前記特許文献２に係る樹脂製遊技板にあっては、多くの機種に対して金型の共通化を図ることで金型の製作コストをかなり削減でき、しかも、開口における切削すべき部分が少なくなって材料の歩留まりが良くなり、資源の無駄も少なくなるというものである。しかしながら、急きょ増産等の生産計画の変更が生じた場合は、射出成形後に再度切削加工を必要とすることから、加工時間が掛かることは否めず対応が著しく困難になるという改良すべき課題が残る。
【０００９】
そこで、本発明は前記改良すべき点に鑑みてなされたもので、多くの異なる機種に対応して金型の共通化が図られるばかりか、急きょ増産等の生産計画の変更が生じた場合も、容易に対応でき生産効率が落ちることのないようにした弾球遊技機の樹脂製遊技板を提供することを目的とするものである。
【課題を解決するための手段】
【００１０】
かかる目的を達成するため、本発明に係る弾球遊技機の樹脂製遊技板は、射出成形により所定位置に盤面部品を取り付けるための開口が形成され、異なる機種間でのいずれの盤面部品も取り付け可能な大きさの開口をそれら異なる機種間で共通する基準開口として形成するようにした遊技板本体と、前記基準開口に取り付けられ、外周面に張設される取付フランジ部の外周輪郭が前記基準開口の内周輪郭よりも大きく形成された盤面部品と、を有することを特徴とする。
【００１１】
また、前記遊技板本体の基準開口における裏面側の内周縁に沿って該基準開口内に突出する裏覆板条部を設け、前記裏覆板条部に沿って該裏覆板条部と前記取付フランジ部側に設けられるカバー部とにより囲われ上端に球入口、下端に球出口を開設した球通路が形成されることが好ましい。
【００１２】
更に、前記遊技板本体の表面であって前記基準開口の外周部に複数の遊技板側取付孔を開設すると共に前記盤面部品における取付フランジ部には前記各遊技板側取付孔に対応位置してフランジ部側取付孔を開設し、これら遊技板側取付孔とフランジ部側取付孔とはいずれも異なる機種間で共通した位置に設けられることが好ましい。
【００１３】
更にまた、前記遊技板本体の表面であって前記基準開口の外周部に位置決め孔を設けると共に該基準開口に取り付けられる盤面部品における取付フランジ部の裏面には該位置決め孔に嵌合する位置決めボスを設け、これら位置決め孔と位置決めボスとはいずれも異なる機種間で共通した位置に設けられることが好ましい。
【発明の効果】
【００１４】
本発明にあっては、異なる機種間でのいずれの盤面部品も取り付け可能な大きさの開口をそれら異なる機種間で共通する基準開口として形成するようにした遊技板本体と、基準開口に取り付けられ、外周面に張設される取付フランジ部の外周輪郭が基準開口の内周輪郭よりも大きく形成された盤面部品と、を有する。これにより、多くの異なる機種間で遊技板本体が共通化できて異なる機種の盤面部品における取付フランジ部が遊技板本体の表面における基準開口の外周部に当接することになって、該盤面部品が大小関係なくそのまま取り付けられることになり、従来のように機種毎の盤面部品に対応させて開口の内周面における必要個所を切削加工する必要もない。よって、急きょ増産等の生産計画に変更が生じた場合にも、迅速に対応できるという効果がある。
【００１５】
また、遊技板本体の基準開口における裏面側の内周縁に沿って該基準開口内に突出する裏覆板条部を設け、該裏覆板条部に沿って該裏覆板条部と前記取付フランジ部側に設けられるカバー部とにより囲われ上端に球入口、下端に球出口が開設された球通路を形成するようにすれば、遊技板本体に球通路が設けられることになり、その分、基準開口に取付けられる盤面部品にスペース的な余裕ができ、例えば前側における装飾部の設計が球通路に邪魔されることなく自由に行なえるという効果がある。この裏覆板条部を上下方向に長く形成するようにすれば、前記球入口の上下方向における位置が比較的自由に選択できて可変表示装置１１の設計が容易になる。
【００１６】
更に、遊技板本体の表面であって基準開口の外周部に設けられる遊技板側取付孔と盤面部品における取付フランジ部に開設されるフランジ部側取付孔、及び基準開口の外周部に設けられる位置決め孔と取付フランジ部の裏面に設けられる位置決めボスとを、いずれも異なる機種間で共通した位置に設けるようにすれば、異なる機種間での遊技板本体に共通化が図られ、量産もし易いという効果がある。
【図面の簡単な説明】
【００１７】
【図１】本発明が適用されるパチンコ遊技機の正面図。
【図２】遊技板本体の前から見た斜視図。
【図３】遊技板本体の後から見た斜視図。
【図４】遊技板本体と取付フランジ部とを示す斜視図。
【図５】遊技板本体に可変表示装置を取り付ける状態を示す平面断面図。
【図６】遊技板本体に可変表示装置を取り付けた状態を示す平面断面図。
【図７】遊技板本体に異なる機種の可変表示装置を取り付けた状態を示す平面断面図。
【図８】他の実施の形態に係る樹脂製遊技板が適用されるパチンコ遊技機の正面図。
【図９】同遊技板本体の前から見た斜視図。
【図１０】同遊技板本体に可変表示装置を取り付けた状態の平面断面図。
【発明を実施するための形態】
【００１８】
以下、本発明に係る弾球遊技機の樹脂製遊技板の最良の実施の形態を図面に基づき詳しく説明する。本発明は、パチンコ遊技機、アレンジボール遊技機、雀球遊技機といった弾球遊技機に適用されるが、この内、本発明はパチンコ遊技機に適用される場合について説明する。図１は、本発明が適用されるパチンコ遊技機の正面図である。まず、パチンコ遊技機Ｐ１について説明する。
【００１９】
パチンコ遊技機Ｐ１は、縦長長方形状の機枠１の前面に樹脂製遊技板２が配設される本体枠（図示せず。）が開閉自在に軸着され、また、該本体枠の前面に樹脂製遊技板２の前面を覆う透明板保持枠３及びこの下方に位置して前板４が同じく開閉自在に軸着されている。透明板保持枠３は中央に窓開口５が開設されており、該窓開口５にガラス板または合成樹脂板からなる透明板６が取着されている。そして、該透明板６で塞がれる窓開口５を介して前記樹脂製遊技板２前面が視認できるようになっている。前板４の前面には、打球発射位置（図示せず。）に供給する遊技球および賞球として払い出される遊技球を貯留する球受皿７が設けられている。また、その一側に、前記打球発射位置に一個ずつ供給される遊技球を樹脂製遊技板２の遊技部２ａに打ち込む打球力調整ハンドル８が装着されている。
【００２０】
前記樹脂製遊技板２は遊技板本体９を有し、その前面に外側レール１０ａと内側レール１０ｂとが渦巻き状に敷設され、該外・内側レール１０ａ，１０ｂにより囲われるようにして遊技部２ａが形成される。該遊技部２ａには、その中央に盤面部品（盤面部品とは、「樹脂製遊技板の遊技部に装着される各種部品や装置」をいう。）である可変表示装置１１が配置されている。該可変表示装置１１は樹脂製遊技板２の表面に当接して固定される取付フランジ部１２が設けられると共に、該取付フランジ部１２に囲まれるようにして透口１３が形成され、その後方に表示器１４が配置されている。この場合、取付フランジ部１２と表示器１４とは分離されているが、一体に形成するようにしても良い。該表示器１４の前面には、縦３列の７セグメント表示部１４ａが設けられ、後記する入賞球の検出により各図柄を一定時間ランダムに変化させるようになっている。
【００２１】
また、前記可変表示装置１１における表示器１４の前側に、中央部を低くした棚状のステージ１５が形成されている。これは、可変表示装置１１の内側へ入った遊技球をステージ１５に導き、該ステージ１５上面をその上面に沿って左右方向に転動させるためである。そして、ステージ１５上面を左右方向に転動する遊技球は次第に減衰して中央部から落下する。落下した遊技球は、その下方に位置して後記する始動入賞口１６に入賞する機会が多くなる。可変表示装置１１の外周縁には、前記ステージ１５と連なり遊技部２ａを流下する遊技球が入る導入口１５ａが設けられ、該導入口１５ａに入った遊技球はステージ１５に導かれることになる。
【００２２】
可変表示装置１１の下方であって遊技部２ａに、始動入賞口１６とその真下に近接して位置し一対の可動翼片１７ａ，１７ａを遊技球が入賞し得ない起立位置と遊技球が入賞可能な逆ハの字状に開く傾動位置とに変換する可変始動口１７が設けられる。また、その下方に、開閉扉１８ａが前側に回動し一度に多くの遊技球が入賞し得る大入賞口１８が配設されている。可変表示装置１１の一側であって遊技部２ａに、遊技球が通過することにより該遊技球を検出する通過チャッカー１９が配置され、遊技部２ａの下側であって内側レール１０ｂの内側に複数の一般入賞口２０が設けられている。また、内側レール１０ｂの最下部に、遊技部２ａを流下するもいずれにも入賞しなかったアウト球を遊技部２ａの外側へ排出させるためのアウト球口２１が開設されている。更に、遊技部２ａの所定の位置には、流下する遊技球の方向を変化させる障害釘２２や風車２３が配設されている。
【００２３】
そこで、例えば打球発射位置から遊技部２ａに打ち込まれた遊技球が始動入賞口１６に入賞すると、可変表示装置１１における表示器１４の７セグメント表示部１４ａの図柄が変動を繰り返し、所定時間が経過した後に停止する。同様に、通過チャッカー１９を遊技球が通過すると、該遊技球を検知して遊技者には分からないところで抽選が行なわれ、それに当たると前記可変始動口１７の一対の可動翼片１７ａ，１７ａが予め決められた時間の間開き、遊技球を入賞し得るようにしている。このようにして、始動入賞口１６または可変始動口１７に遊技球が入賞する毎に、前記表示器１４の各７セグメント表示部１４ａの図柄が変動する。その図柄の変動が停止して各７セグメント表示部１４ａの図柄が例えば「７７７」に揃ったときは、遊技者に有利な特別遊技状態となる。この状態では、大入賞口１８の開閉扉１８ａが前側に回動して一定の時間または所定個数の遊技球が検出されるまでの間開放され、その後、開閉扉１８ａが閉まる。この動作を１ラウンドとし、一定条件を満たす限り最終的に１５ラウンドまで繰り返され、一度に多くの入賞球が得られるようになっている。
【００２４】
次に、前記パチンコ遊技機Ｐ１の樹脂製遊技板２を構成する遊技板本体９について詳しく説明する。図２は遊技板本体の前から見た斜視図、図３は遊技板本体の後から見た斜視図である。本実施の形態では、遊技板本体９は、所定の成形用金型によりポリカーボネイト樹脂、ＡＢＳ樹脂、アクリロニトリル樹脂等の合成樹脂を射出成形することにより成形され、無色透明、有色透明、不透明のいずれであっても良い。そして、遊技板本体９は図２、図３に示すように長方形板状に一体成形され、１０ｍｍ程度の肉厚を有し表面９ａが平坦に形成されている。
【００２５】
前記遊技板本体９の表面９ａを正面から見てその中央部やや右に寄った位置に、可変表示装置１１を取り付けるための第一開口２４が形成される。また、その下方に始動入賞口１６と可変始動口１７とを取り付けるための第二開口２５が形成され、更に、その下方に大入賞口１８を取り付けるための第三開口２６が形成されている。更にまた、第一開口２４の一側に通過チャッカー１９を取り着けるための第四開口２７が形成され、第三開口２６の両側には一般入賞口２０を取り付けるための第五開口２８，２８が形成されている。これら第一乃至第五開口２４〜２８のうち、盤面部品である可変表示装置１１が取り付けられる第一開口２４が一番大きい。そこで、異なる機種間におけるいずれの盤面部品、例えば可変表示装置１１を取り付け可能な大きさの開口である第一開口２４をそれら異なる機種間で共通する基準開口として形成している。よって、他の機種のパチンコ遊技機におけるいずれの可変表示装置１１も取り付けられることになる。例えば、多くの異なる機種における基準開口である第一開口２４をすべて前面が平行となるようにして一直線上にならべ、これらを一直線と平行な方向から投影した場合に、それら重ねた基準開口の最も大きい外周輪郭が選ばれる。
【００２６】
一方、異なる機種間の各可変表示装置１１は、その大きさが大小いろいろ有るが、いずれの可変表示装置１１も基準開口としての第一開口２４に取り付けられるとき、取付フランジ部１２の外周輪郭１２ａが第一開口２４の内周輪郭２４ａよりも大きく形成されている。また、遊技板本体９の表面９ａであって第一開口２４の外周部３８に複数の位置決め孔２９が設けられると共に、可変表示装置１１における取付フランジ部１２の裏面１２ｂには、該各位置決め孔２９に嵌合する位置決めボス３０が設けられている。しかも、これら位置決め孔２９と位置決めボス３０とは、いずれも異なる機種間で共通した位置に設けられる。
【００２７】
遊技板本体９の表面９ａにおける第一開口２４の外周部３８であって所定位置に複数の遊技板側取付孔３１が開設されている。可変表示装置１１における取付フランジ部１２は、中央に開設された透口１３の裏側の周縁に後方へ突出する環状枠部４７が形成されている。前記ステージ１５はこの環状枠部４７の内底面に形成されることになる。そして、取付フランジ部１２には各遊技板側取付孔３１に対応位置してフランジ部側取付孔３２が開設されている。これら遊技板側取付孔３１とフランジ部側取付孔３２とは、いずれも異なる機種間で共通した位置に設けられる。
【００２８】
遊技板本体９の裏面９ｂには、その外周縁に沿って後方へ額縁状に突出する外縁リブ３３が一体に設けられている。また、遊技板本体９の四隅部には、貫通孔３４ａ〜３４ｄが設けられているが、このうち、三ヶ所の貫通孔３４ａ〜３４ｃは遊技機本体９をパチンコ遊技機Ｐ１内に組み付けるための位置合わせ用または遊技板に障害釘２２を打ち込むための下穴加工工程において加工機に遊技板本体９を設置するための位置合わせ用として使用される。残りの一つの貫通孔３４は、遊技部品で用いる配線通し用として使用される。３５は、外・内側レール１０ａ，１０ｂを取り付けるために遊技板本体９の所定の弧状線に沿って多数設けられた差込孔である。これら差込孔３５には、外・内側レール１０ａ，１０ｂの一側縁寄りに沿って適宜間隔で取着される固定ピン（図示せず。）が打ち込まれる。遊技板本体９の裏面９ｂであって各差込孔３５が設けられた位置に、円柱形ボス状に突出する固植用部３６が設けられ、これらの中心に前記差込孔３５が貫通状に形成されている。各固植用部３６の先端面には、横断状に前記差込孔３５と連通する切り溝３７が形成されている。
【００２９】
通常、各種盤面部品が取り付けられる樹脂製遊技板２が組み立てられ完成する途中にあっては、第一乃至第五開口２４〜２８が形成された遊技板本体９の表面９ａに障害釘２２や風車２３を打ち込む工程がある。また、続いて外・内側レール１０ａ，１０ｂの一側寄りに取着された固定ピン（図示せず。）を表面９ａ側から各差込孔３５に打ち込んで、外・内側レール１０ａ，１０ｂを遊技板本体９の表面９ａに敷設する工程がある。そして、これら障害釘２２、風車２３、外・内側レール１０ａ，１０ｂが取り付けられた遊技板本体９を次の工程に移動させるまで、表面９ａを上にした状態で一時多段に積み重ねておく場合がある。
【００３０】
このとき、上段の各固植用部３６先端の切り溝３７に下段の外・内側レール１０ａ，１０ｂの上側縁を差し込む。これにより、下段の障害釘２２や風車２３の上端と上段の遊技板本体９の裏面９ｂとの間には、固植用部３６のほぼ長さ分の間隔が開き、下段の障害釘２２や風車２３が上段の遊技板本体９の裏面９ｂに当接して必要もなく曲がったり、これらによって上段に位置する遊技板本体９の裏面９ｂを傷付けるといったことがないようにしている。
【００３１】
各盤面部品は、障害釘２２、風車２３及び外・内側レール１０ａ，１０ｂが取り付けられた後に取り付けられることになるが、ここでは便宜上、第一開口２４に可変表示装置１１を取り付ける方法を説明する。図５に示すように可変表示装置１１は遊技板本体１１の表面に取着される取付フランジ部１２と、遊技板本体９の裏面に取着される裏側ユニット枠４８とを有する。該裏側ユニット枠４８は、中央に前記取付フランジ部１２の透口１３と対応する支持開口４９が形成され、該支持開口４９に前記表示器１４が取着されることになる。また、裏側ユニット枠４８には外周に取付片５０が周設され、適宜位置にビス挿通孔５１が設けられている。そこで、図４乃至図６に示すように遊技板本体９の表面９ａにおける第一開口２４の外周部３８に取付フランジ部１２の裏面１２ｂを当接させると共に、各位置決め孔２９に各位置決めボス３０を嵌合する。図４では、遊技板本体９の表面９ａ上の二点差線による形状が取付フランジ部１２の外周輪郭１２ａの形状と一致し、その内側が表面９ａの外周部３８となる。このとき、各フランジ部側取付孔３２と各遊技板側取付孔３１とが一致して連通する。そこで、各フランジ部側取付孔３２を介して各遊技板側取付孔３１にそれぞれビス３９を螺締する。これにより、取付フランジ部１２がずれることなくしっかりと固定される。
【００３２】
また、遊技板本体９の裏面９ｂには表示器１４が取り付けられた裏側ユニット枠４８を当接させ、取付片５０の各ビス挿通孔５１と遊技板本体９に予め設けられた遊技板側取付孔３１ａとを合致させ、裏側から各ビス挿通孔５１を介して遊技板側取付孔３１ａにビス５２を螺締する。これにより、裏側ユニット枠４８がしっかりと固定される。この裏側ユニット枠４８には、前記表示器１４の他に例えば装飾用の可動物を設けるようにしても良い。
【００３３】
前記遊技板本体９の表面９ａであって第一開口２４の外周部に設けられる位置決め孔２９と、該第一開口２４に取り付けられる可変表示装置１１における取付フランジ部１２の裏面に設けられ該位置決め孔２９に嵌合する位置決めボス３０と、はいずれも異なる機種間で共通した位置に設けられている。よって、異なる機種間の遊技板本体９に共通性が図られ、異なる機種間の遊技板本体９であっても量産し易い。
【００３４】
図７は、遊技板本体に異なる機種の可変表示装置を取り付けた状態を示す平面断面図である。なお、本発明と同一部位は同一番号を付すことにより詳しい説明は省略する。これは、本発明に係る前記パチンコ遊技機Ｐ１とは異なる機種の可変表示装置１１ａを取り付けた状態である。しかも、この可変表示装置１１ａは本発明に係る可変表示装置１１よりも小さい。具体的には、この可変表示装置１１ａにおける表示器１４の大きさが第一開口２４の大きさに対してかなり小さい。このように、表示器１４の大きさが第一開口２４に対してかなり小さい場合でも、この可変表示装置１１ａにおける取付フランジ部１２の外周輪郭１２ａは第一開口２４の内周輪郭２４ａよりも大きく形成されているので、何ら支障なく本発明に係る可変表示装置１１と同様に第一開口２４に取り付けられる。
【００３５】
図８は、他の実施の形態に係る樹脂製遊技板が適用されるパチンコ遊技機の正面図、図９は、同遊技板本体の前から見た斜視図、図１０は、同遊技板本体に可変表示装置を取り付けた状態の平面断面図である。このパチンコ遊技機Ｐ２は、本発明に係るパチンコ遊技機Ｐ１と構成がほとんど同じなので、同一部位は同一番号を付すことにより詳しい説明は省略する。このパチンコ遊技機Ｐ２は、図９、図１０に示すように遊技板本体９の裏面９ｂ側の第一開口２４における一側の内周縁４０に沿って第一開口２４内に突出する裏覆板条部４１が設けられている。
【００３６】
一方、第一開口２４に取り付けられる可変表示装置１１における取付フランジ部１２の一側、すなわち裏覆板条部４１と同じ側に、該裏覆板条部４１に対応位置させて取付フランジ部１２の内側縁から延出し裏面が開放するカバー部４２が設けられている。そして、取付フランジ部１２と裏側ユニット枠４８を遊技板本体９に取り付けたとき、図１０に示すように前記裏覆板条部４１に沿って該裏覆板条部４１とカバー部４２とにより囲われるようにして遊技球が流下する球通路４３（所謂、「ワープ通路」という。）が形成される。該球通路４３には、図８に示すように上端外面に遊技部２ａを流下する遊技球が入り得る球入口４４が開設され、下端内面には前記表示器１４の前側に形成されたステージ１５に連なる球出口４５が開設されている。そこで、前記球入口４４から球通路４３内に入った遊技球は、下端の球出口４５からステージ１５の上面に導かれる。該ステージ１５上面を転動する遊技球は左右に移動しつつ減衰して中央部に寄り、最終的にほぼ中央から落下する。
【００３７】
このように、遊技板本体９に球通路４３が設けられることにより、その分、可変表示装置１１における取付フランジ部１２及び裏側ユニット枠４８にスペース的な余裕ができ、例えば前側における装飾部の設計が球通路４３に邪魔されることなく自由に行なえる。
【００３８】
本発明にあっては、異なる機種間でのいずれの盤面部品である可変表示装置１１も取り付け可能な大きさの第一開口２４をそれら異なる機種間で共通する基準開口として形成するようにした遊技板本体９と、第一開口２４に取り付けられ、外周面に張設される取付フランジ部１２の外周輪郭１２ａが第一開口２４の内周輪郭２４ａよりも大きく形成された可変表示装置１１と、を有する。これにより、多くの異なる機種間で遊技板本体９が共通化できて異なる機種の可変表示装置１１における取付フランジ部１２が遊技板本体９の表面における第一開口２４の外周部３８に当接することになって、該可変表示装置１１が大小関係なくそのまま取り付けられることになり、従来のように機種毎の可変表示装置１１に対応させて開口の内周面における必要個所を切削加工する必要もない。
【符号の説明】
【００３９】
９              遊技板本体
１１            盤面部品（可変表示装置）
１１ａ          盤面部品（可変表示装置）
１２            取付フランジ部
１２ａ          外周輪郭
２４            基準開口（第一開口）
２４ａ          内周輪郭
２９            位置決め孔
３０            位置決めボス
３１            遊技板側取付孔
３１ａ          遊技板側取付孔
３２            フランジ部側取付孔
３８            外周部
４０            内周縁
４１            裏覆板条部
４２            カバー部
４３            球通路
４４            球入口
４５            球出口
【図１】
2013081537.tif 000003
【図２】
2013081537.tif 000004
【図３】
2013081537.tif 000005
【図４】
2013081537.tif 000006
【図５】
2013081537.tif 000007
【図６】
2013081537.tif 000008
【図７】
2013081537.tif 000009
【図８】
2013081537.tif 000010
【図９】
2013081537.tif 000011
【図１０】
2013081537.tif 000012